(57)【要約】【課題】汚物の量や性状によらず、手を汚したり悪臭を拡散させたりすることなく、簡単に汚物の処理を行うことができ、かつ低コストで製造できる汚物処理シートを提供する。【解決手段】汚物処理シート１は、透液性の表面シート２と、不透液性の中間シート３と、中央部に穴６ａのあいた不透液性の裏面シート６とを、表面シート２と中間シート３の間に吸液体４を介在させた状態で重ね合わせて、各シート２、３、６の周縁部を全周にわたって接合し、裏面シート６の内外を反転させることにより、表面シート２および吸液体４を内包する袋状体となる構成のものとした。この構成によれば、表面側で受ける汚物が多量の場合や水分の多いものであった場合でも、手を汚したり悪臭を拡散させたりすることなく、簡単に汚物の処理を行うことができるし、構造が簡単なので、低コストで製造することができる。【選択図】図６
2014014539.tif 000002
【特許請求の範囲】
【請求項１】
透液性の表面シートと、不透液性の中間シートと、中央部に穴のあいた不透液性の裏面シートとが、表面シートと中間シートの間に吸液体を介在させた状態で重ね合わされて、各シートの周縁部を全周にわたって接合されており、前記裏面シートの内外を反転させることにより、反転前の裏面シートの内側面および前記中間シートの裏面を外側面とし、前記表面シートおよび吸液体を内包する袋状体となる汚物処理シート。
【請求項２】
前記裏面シートの穴の周囲にその周方向に沿って延びる紐通し部を設け、この紐通し部に絞り紐を通したことを特徴とする請求項１に記載の汚物処理シート。
【請求項３】
前記裏面シートに、その穴の周縁から放射状に延びる襠を複数設けるとともに、前記穴の周方向に沿って延びる環状のゴムひもを取り付けたことを特徴とする請求項１に記載の汚物処理シート。
【請求項４】
請求項１乃至３のいずれかに記載の汚物処理シートを用い、その表面側をおむつ着用者の体に接触する側としておむつ本体を形成した使い捨ておむつ。
【発明の詳細な説明】
【技術分野】
【０００１】
本発明は、介護等の現場での汚物処理の際に使用される汚物処理シートとそれを用いた使い捨ておむつに関する。
【背景技術】
【０００２】
一般に、寝たきり状態になっている高齢者や病人の介護の現場では、被介護者が装着している使い捨てのおむつを交換して被介護者の体を清拭する際に、寝具に汚物が付着しないように、被介護者の体と寝具との間に防水性のある使い捨てのシートを敷き込んで作業を行うことが多い。
【０００３】
上記のような使い捨てシートを使用した場合、使用済のおむつとシートは、別々にあるいはおむつをシートで包んだ状態で廃棄されるが、実際に廃棄されるまでの間に悪臭を拡散させてしまうという問題がある。また、介護者は、通常、おむつ交換等の作業を行うときや使用済のおむつおよびシートを廃棄するときに手が汚れないように介護用手袋を着用しているが、その介護用手袋の着脱を面倒に感じることも多い。
【０００４】
これに対し、特許文献１では、おむつの本体の肛門部位に穴をあけ、このおむつ本体の穴に、吸液性表面シートと不透液性裏面シートからなり、蛇腹状に折り重ねた筒部を有するパッド形状の袋を取り付けて、その筒底の表面シートを肛門周辺に接触させておき、排便後に袋の筒底の裏面シート側に設けた端部をおむつ本体の穴から引き出すことにより、袋全体が便を包み込みながら裏返しに引き出されるようにし、引き出した袋をおむつ本体から取り外して処理することが提案されている。このようにすれば、介護者が手袋を着用しなくても手を汚さず、また悪臭も漏らすことなく便の処理を行うことができ、おむつ本体の交換回数も減らすことができる。
【先行技術文献】
【特許文献】
【０００５】
【特許文献１】特許第４１９２９１７号公報
【発明の概要】
【発明が解決しようとする課題】
【０００６】
しかしながら、上記特許文献１で提案されたパッド形状の袋を備えたおむつを用いる場合は、おむつ本体に穴をあけているため、交換用の袋の手持ちがなくなったときには、おむつ本体を単独で使用できないという不便がある。また、その袋は、上述した蛇腹状の筒部および引き出し用の端部のほかにも、おむつ本体に対して簡単に取り付け・取り外しができ、かつおむつ本体との間を確実に密封できる構造が必要となるし、穴のあいたおむつ本体も専用のものとなるので、おむつが全体として比較的高価なものになってしまう。
【０００７】
さらに、排泄された便が多量であったり水分の多いものであったりして、おむつから便が漏れるおそれがあるような場合は、従来と同様に使い捨てシートの使用および介護用手袋の着用が必要となり、所期の効果が得られないという問題もある。
【０００８】
そこで、本発明は、汚物の量や性状によらず、手を汚したり悪臭を拡散させたりすることなく、簡単に汚物の処理を行うことができ、かつ低コストで製造できる汚物処理シートおよびそれを用いた使い捨ておむつを提供することを課題とする。
【課題を解決するための手段】
【０００９】
上記の課題を解決するために、本発明の汚物処理シートは、透液性の表面シートと、不透液性の中間シートと、中央部に穴のあいた不透液性の裏面シートとが、表面シートと中間シートの間に吸液体を介在させた状態で重ね合わされて、各シートの周縁部を全周にわたって接合されており、前記裏面シートの内外を反転させることにより、反転前の裏面シートの内側面および前記中間シートの裏面を外側面とし、前記表面シートおよび吸液体を内包する袋状体となる構成のものとした。
【００１０】
すなわち、吸液体を挟んだ表面シートと中間シートに、中央部に穴のあいた裏面シートを重ね合わせて、各シートの周縁部を接合しただけの簡単な構造として、低コストで製造できるものとするとともに、裏面シートの内外を反転させる（裏面シートを裏返しにする）だけで、汚物の付着した表面シートおよび吸液体とともに表面シート上のおむつ等の物品を内包する袋状体となって、手を汚したり悪臭を拡散させたりすることなく、簡単に汚物の処理を行えるものとしたのである。
【００１１】
ここで、前記裏面シートの穴の周囲にその周方向に沿って延びる紐通し部を設け、この紐通し部に絞り紐を通すようにすれば、汚物を内包する袋状体とした後に、裏面シートの穴を絞り紐で絞った状態で保持することができ、悪臭の拡散をより確実に防止することができる。
【００１２】
あるいは、前記裏面シートに、その穴の周縁から放射状に延びる襠を複数設けるとともに、前記穴の周方向に沿って延びる環状のゴムひもを取り付けるようにしても、袋状体とした後の悪臭の拡散をより確実に防止できる。この場合は、自然状態で裏面シートの穴が小さく絞られるようにしておき、裏面シートを反転させるときだけゴムひもが伸びて裏面シートの穴が襠の分だけ拡がるようにすればよい。
【００１３】
また、本発明の使い捨ておむつは、上述した構成の汚物処理シートを用い、その表面側をおむつ着用者の体に接触する側としておむつ本体を形成したものである。
【発明の効果】
【００１４】
上述したように、本発明の汚物処理シートは、吸液体を挟んだ表面シートと中間シートに、中央部に穴のあいた裏面シートを重ね合わせて、各シートの周縁部を接合し、裏面シートを反転させることにより表面シートおよび吸液体を内包する袋状体となるようにしたものであるから、表面側で受ける汚物の量や性状によらず、手を汚したり悪臭を拡散させたりすることなく、簡単に汚物の処理を行うことができ、しかも構造が簡単で低コストで製造することができる。
【００１５】
また、本発明の使い捨ておむつは、上述した汚物処理シートの表面側をおむつ着用者の体に接触する側としておむつ本体を形成したものであるから、裏面シートを反転させて袋状体とすることにより、ある程度の量の汚物は手を汚したり悪臭を拡散させたりすることなく簡単に処理できる。しかも、穴をあけたおむつ本体にパッド形状の袋を取り付けた従来のおむつに比べると、安価に製造でき、使い勝手もよい。
【図面の簡単な説明】
【００１６】
【図１】第１実施形態の汚物処理シートの平面図
【図２】図１の底面図
【図３】ａは図１のIII−III線に沿った拡大断面図、ｂはａの要部拡大図
【図４】図１の汚物処理シートの使用方法の説明図
【図５】ａ、ｂはそれぞれ図１の汚物処理シートの処理手順を示す斜視図
【図６】同上の処理手順を示す断面図
【図７】図１の汚物処理シートを袋状体とした状態の斜視図
【図８】第２実施形態の汚物処理シートの底面図
【図９】実施形態の使い捨ておむつの展開図（外側面）
【図１０】図９の使い捨ておむつの使用時の後側の斜視図
【発明を実施するための形態】
【００１７】
以下、図面に基づき、本発明の実施形態を説明する。図１乃至図７は第１の実施形態の汚物処理シート１を示す。この汚物処理シート１は、図１乃至図３（ａ）に示すように、表面シート２と、表面シート２の裏面側に配される中間シート３と、その表面シート２と中間シート３の間に配される吸液体４と、中間シート３の裏面に接合される接合シート５と、接合シート５と一体に形成された裏面シート６とで基本的に構成されている。
【００１８】
前記表面シート２と中間シート３は、図３（ｂ）にも示すように、同一の形状および大きさに形成された矩形のもので、両者の間に吸液体４を介在させた状態で重ね合わされ、その周縁部を全周にわたって所定幅で互いに溶着されている。その表面シート２にはポリエステルやポリプロピレンの不織布等、透液性のものが用いられ、中間シート３にはプラスチックフィルム等の不透液性のものが用いられる。また、吸液体４には綿状パルプと高分子吸水材の混合物等が用いられる。
【００１９】
図２および図３（ｂ）に示すように、前記接合シート５と裏面シート６は、表面シート２や中間シート３よりわずかに小さい矩形のもので、周縁どうしで連続するように形成されている。その材質としては、ポリエステルやポリプロピレン等の不透液性のフィルムが用いられる。そして、接合シート５の周縁部が全周にわたって中間シート３の裏面に両面接着テープ７で接着されており、裏面シート６の中央部には穴６ａがあけられている。また、裏面シート６の穴６ａの周囲にはその周方向に沿って延びる紐通し部６ｂが設けられており、この紐通し部６ｂに、後述するように穴６ａを絞るための絞り紐８が通されている。なお、裏面シートを直接中間シートの裏面に接合するようにすれば、接合シートは省略することができる。
【００２０】
次に、この汚物処理シート１の使用方法について説明する。例えば図４に示すように、介護の現場でおむつ交換作業を行う場合、介護者Ｃは被介護者Ａの体とベッドＢとの間にこの汚物処理シート１を敷き込み、この状態で被介護者Ａが装着している一般的な使い捨ておむつＤを交換し、被介護者Ａの体を清拭する。このとき、裏面シート６の穴６ａから手を入れて、表面シート２で被介護者Ａの体に付着した汚物を拭き取ることができる。
【００２１】
上記おむつ交換作業が終わると、汚物処理シート１をベッドＢから外し、図５（ａ）、（ｂ）および図６に示すように、裏面シート６の内外を反転させて（裏面シート６を裏返しにして）、その内側に表面シート２を包み込んでいく。そして、最終的には、反転前の裏面シート６の内側面および接合シート５（接合シートを省略した場合は中間シート３）の裏面を外側面とし、表面シート２および吸液体４を内包する袋状体とする。このとき、図５および図６では図示を省略したが、表面シート２上に残した使用済みの使い捨ておむつＤや清拭用のペーパー等も、袋状体に内包される。その後、袋状体は、図７に示すように、裏面シート６に取り付けた絞り紐８の両端を引っ張って裏面シート６の穴６ａを小さく絞り、絞り紐８の両端どうしを結び合わせて穴６ａを絞った状態で廃棄する。
【００２２】
この汚物処理シート１は、上述したように、裏面シート６の内外を反転させるだけで、汚物の付着した表面シート２および吸液体４とともに表面シート２上の使い捨ておむつＤ等を内包する袋状体となり、裏面シート６の穴６ａは絞り紐８で絞った状態で保持できるので、排泄された汚物が多量の場合や水分の多いものであった場合でも、手を汚さず、悪臭を漏らすこともなく、簡単に汚物の処理を行うことができる。また、介護者Ｃの介護用手袋の着用を不要とすることもできる。
【００２３】
しかも、吸液体４を挟んだ表面シート２と中間シート３の周縁部どうしを溶着し、その中間シート３の周縁部（溶着部より内側の部位）に、中央部に穴６ａのあいた裏面シート６を接合シート５を介して接着しただけの簡単な構造なので、低コストで製造することができる。
【００２４】
図８は第２の実施形態の汚物処理シート９を示す。この実施形態は、第１実施形態の裏面シート６の穴６ａを絞った状態で保持する手段を変更したものであり、その他の部分の構成および簡単な構造で、手を汚したり悪臭を拡散させたりすることなく汚物処理を行える点は第１実施形態と同じである。
【００２５】
すなわち、この第２実施形態の汚物処理シート９では、裏面シート６にその穴６ａの周縁から放射状に延びる襠６ｃを複数設け、穴６ａの周囲に設けた紐通し部６ｂには環状のゴムひも１０を通している。これにより、自然状態で裏面シート６の穴６ａが小さく絞られており、裏面シート６の内外を反転させるときだけ、ゴムひも１０が伸びて裏面シート６の穴６ａが襠６ｃの分だけ拡がるようになっている。したがって、第１実施形態に比べると、裏面シート６を反転させた後に絞り紐８を引っ張って結ぶ手間を省ける点で有利である。
【００２６】
図９および図１０は、上述した第２実施形態の汚物処理シート９を用いて形成した使い捨ておむつ１１を示す。この使い捨ておむつ１１は、おむつ本体１２と、おむつ本体１２の左右両側の脚周り縁および前後（図９の下端と上端）の胴周り縁に取り付けられた弾性部材１３、１４、１５と、一端部を後側の胴周り縁の弾性部材１５に固定され、前側の胴周り縁の弾性部材１４に接着される接着テープ１６とからなる。そのおむつ本体１２は、第２実施形態の汚物処理シート９を、裏面シート６の穴６ａが外側に向くように、すなわち表面側がおむつ着用者の体に接触する側となるようにして、所定の形状に形成したものである。
【００２７】
この使い捨ておむつ１１は、使用後は、実施形態の汚物処理シート１、９と同様に、裏面シート６の内外を反転させることにより、汚物の付着した表面シート２および吸液体４を内包する袋状体とすることができる。したがって、汚物の量や性状によっては、一般的な使い捨てシートの使用や介護用手袋の着用が必要となる場合もあるが、脚周り縁や胴周り縁から汚物が漏れるような状態でなければ、手を汚したり悪臭を拡散させたりすることなく簡単に処理することができる。しかも、比較的安価に製造でき、使い勝手もよい。
【符号の説明】
【００２８】
１、９  汚物処理シート
２  表面シート
３  中間シート
４  吸液体
５  接合シート
６  裏面シート
６ａ  穴
６ｂ  紐通し部
６ｃ  襠
７  両面接着テープ
８  絞り紐
１０  ゴムひも
１１  使い捨ておむつ
１２  おむつ本体
１３、１４、１５  弾性部材
１６  接着テープ
【図１】
2014014539.tif 000003
【図２】
2014014539.tif 000004
【図３】
2014014539.tif 000005
【図４】
2014014539.tif 000006
【図５】
2014014539.tif 000007
【図６】
2014014539.tif 000008
【図７】
2014014539.tif 000009
【図８】
2014014539.tif 000010
【図９】
2014014539.tif 000011
【図１０】
2014014539.tif 000012